(57)【要約】【課題】透光部材の引き戻し動作を急峻に行うことができると共に、透光部材の移動に関連した駆動源周りを従来より小型化することが可能な遊技機を提供する。【解決手段】本発明のパチンコ遊技機１０によれば、モータ５９からの駆動力及び制動力を伝達する中継ギヤ６２を移動することで、モータ５９をモータ駆動ローラー５２から切り離すので、従来のようにモータ全体を移動する構成のものに比べて移動対象を軽量化及び小型化することが可能になる。即ち、本実施形態によれば、膜部材４９の引き戻し動作を急峻に行うことができると共に、膜部材４９の移動に関連したモータ５９周りを従来より小型化することが可能になる。【選択図】図９
2010148924.tif 000002
【特許請求の範囲】
【請求項１】
互いに平行に延びかつ回転可能な第１と第２のローラーと、
前記第１及び第２のローラーを回転可能に軸支したベース部材と、
前記第１と第２のローラーの間に張られ、それら第１及び第２のローラーを連動回転させて移動する少なくとも一部が透光可能な帯状の透光部材と、
前記第１のローラーを回転駆動及び回転停止して前記透光部材を前記第１のローラー側に移動しかつ任意の位置に保持可能な駆動源と、
前記第２のローラーと前記ベース部材との間に設けられ、前記第２のローラーの回転に伴って弾性変形し、その弾発力により前記透光部材を前記第２のローラー側に引き戻すことが可能な復元弾性部材とを備えた遊技機において、
前記駆動源によって回転駆動及び回転停止される回転駆動ギヤと、
前記第１のローラーと一体回転するローラー一体ギヤと、
前記ベース部材に対して往復動可能に連結された往復可動部材と、
前記往復可動部材に回転可能に軸支されて、前記回転駆動ギヤと前記ローラー一体ギヤとの間を連結した中継位置と、前記回転駆動ギヤ又は前記ローラー一体ギヤとの間を断絶した断絶位置との間を移動可能な中継ギヤとを備え、
前記回転駆動ギヤと前記ローラー一体ギヤとは、前記ベース部材に回転可能に軸支されると共に、互いに横並びに間隔を開けて配置された状態に保持され、
前記往復可動部材は、前記回転駆動ギヤと共通した回転軸を中心に回動可能に軸支され、
前記中継ギヤは、前記中継位置で前記回転駆動ギヤと前記ローラー一体ギヤとに噛合する一方、前記断絶位置で前記回転駆動ギヤとの噛合を維持して前記ローラー一体ギヤから離間することを特徴とする遊技機。
【請求項２】
前記透光部材の両端部を前記第１と第２のローラーに巻き付けたことを特徴とする請求項１に記載の遊技機。
【請求項３】
前記透光部材は、環状をなし、
前記環状の透光部材の内側に前記第１及び第２のローラーを配置して、前記透光部材の一部を前記第１及び第２のローラーの間で張ったことを特徴とする請求項１に記載の遊技機。
【請求項４】
前記ベース部材に直動可能に支持されたプランジャーと、
前記プランジャーを一方向に付勢するバネ部材と、
前記バネ部材に抗して前記プランジャーを他方向に移動させるソレノイドと、
前記往復可動部材に一体に設けられると共に前記プランジャーに連結され、前記プランジャーの直動を前記往復可動部材の回動に変換する連結レバーとを備えたことを特徴とする請求項１乃至３の何れかに記載の遊技機。
【請求項５】
前記駆動源は、ブレーキを一体に備えたモータであり、
前記モータのステータは、前記ベース部材に固定され、
前記回転駆動ギヤは、前記モータの出力軸に固定されたことを特徴とする請求項１乃至４の何れかに記載の遊技機。
【請求項６】
前記透光部材の背面側に表示装置を設け、
前記透光部材は、その表示装置の表示画面を透視可能に構成されたことを特徴とする請求項１乃至５の何れかに記載の遊技機。
【請求項７】
前記透光部材には、前記表示画面内に収まる大きさの半透明又は不透明な文字又は図柄が描かれたことを特徴とする請求項６に記載の遊技機。
【請求項８】
前記ベース部材は、前記表示装置が嵌合装着された表示装置嵌合枠部と、その表示装置の前記表示画面の少なくとも一部を前記ベース部材の前面側から視認可能とするベース部材前面開口とを備え、
前記ベース部材が背面側から取り付けられる遊技板を設け、その遊技板に、前記表示画面の少なくとも一部を前記遊技板の前面側から視認可能とする画面表示開口を形成したことを特徴とする請求項６又は７に記載の遊技機。
【請求項９】
前記第１と第２のローラーの間に配置されて、それら第１及び第２のローラーと平行に延び、前記ベース部材に固定され前記透光部材に摺接可能な摺接シャフトを設けたことを特徴とする請求項１乃至８の何れかに記載の遊技機。
【請求項１０】
前記ベース部材に固定されて、前記第２のローラーの回動中心に沿って延びた固定軸部材を備え、
前記復元弾性部材は、前記固定軸部材の長手方向に沿って延びかつ一端部が前記固定軸部材に固定されかつ他端部が前記第２のローラーに固定されたことを特徴とする請求項１乃至９の何れかに記載の遊技機。
【請求項１１】
前記復元弾性部材は、前記固定軸部材の長手方向に沿って延びかつ内側に前記固定軸部材が挿通されたコイルバネであり、そのコイルバネの一端部が前記固定軸部材に固定されかつ他端部が前記第２のローラーに固定されたことを特徴とする請求項１０に記載の遊技機。
【請求項１２】
前記固定軸部材のうち前記コイルバネに挿通された部分は、前記第２のローラーの内側に収容されると共に、前記固定軸部材のうち前記コイルバネに挿通されていない端部が、前記第２のローラーの端部から露出して前記ベース部材に固定され、前記固定軸部材の途中部分に前記第２のローラーの端部壁を貫通して回転可能に軸支したことを特徴とする請求項１１に記載の遊技機。
【発明の詳細な説明】
【技術分野】
【０００１】
本発明は、１対のローラーの間に張られた帯状の透光部材を、それらローラーの回転駆動により移動可能な遊技機に関する。
【背景技術】
【０００２】
従来のこの種の遊技機として、透光部材である膜部材を一方向に移動する際にはモータを駆動源として一方のローラーを回転駆動し、膜部材を他方向に引き戻す際には弾性部材の弾発力を用いて他方のローラーを回転駆動する構成のものが知られている。そして、弾性部材にて膜部材を引き戻すために、モータへの通電を停止して、モータをローラーに連れ回りさせる構成のものと（例えば、特許文献１参照）、モータをローラーから切り離すものとが知られている（特許文献２参照）。
【先行技術文献】
【特許文献】
【０００３】
【特許文献１】特開２００５−２８７９８６号公報（段落［００６８］、第２３図）
【０００４】
【特許文献２】特開２００３−１５４０７３号公報（段落［００６１］，［００７１］、第６図）
【発明の概要】
【発明が解決しようとする課題】
【０００５】
しかしながら、上記した一方の遊技機は、モータがローラーに連れ回りして、膜部材の急峻な引き戻し動作の妨げになっていた。これに対し、上記した他方の遊技機では、モータをローラーから切り離すためにモータ全体を移動していた。このため、モータ全体の可動支持機構が大型化することに加え、モータ全体の移動スペースが必要になり、遊技機のうち膜部材の移動に関連した部位が大型化していた。
【０００６】
本発明は、上記事情に鑑みてなされたもので、帯状の透光部材の引き戻し動作を急峻に行うことができると共に、透光部材の移動に関連した駆動源周りを従来より小型化することが可能な遊技機の提供を目的とする。
【課題を解決するための手段】
【０００７】
上記目的を達成するためになされた請求項１の発明に係る遊技機は、互いに平行に延びかつ回転可能な第１と第２のローラーと、第１及び第２のローラーを回転可能に軸支したベース部材と、第１と第２のローラーの間に張られ、それら第１及び第２のローラーを連動回転させて移動する少なくとも一部が透光可能な帯状の透光部材と、第１のローラーを回転駆動及び回転停止して透光部材を第１のローラー側に移動しかつ任意の位置に保持可能な駆動源と、第２のローラーとベース部材との間に設けられ、第２のローラーの回転に伴って弾性変形し、その弾発力により透光部材を第２のローラー側に引き戻すことが可能な復元弾性部材とを備えた遊技機において、駆動源によって回転駆動及び回転停止される回転駆動ギヤと、第１のローラーと一体回転するローラー一体ギヤと、ベース部材に対して往復動可能に連結された往復可動部材と、往復可動部材に回転可能に軸支されて、回転駆動ギヤとローラー一体ギヤとの間を連結した中継位置と、回転駆動ギヤ又はローラー一体ギヤとの間を断絶した断絶位置との間を移動可能な中継ギヤとを備え、回転駆動ギヤとローラー一体ギヤとは、ベース部材に回転可能に軸支されると共に、互いに横並びに間隔を開けて配置された状態に保持され、往復可動部材は、回転駆動ギヤと共通した回転軸を中心に回動可能に軸支され、中継ギヤは、中継位置で回転駆動ギヤとローラー一体ギヤとに噛合する一方、断絶位置で回転駆動ギヤとの噛合を維持してローラー一体ギヤから離間するところに特徴を有する。
【０００８】
請求項２の発明は、請求項１に記載の遊技機において、透光部材の両端部を第１と第２のローラーに巻き付けたところに特徴を有する。
【０００９】
請求項３の発明は、請求項１に記載の遊技機において、透光部材は、環状をなし、環状の透光部材の内側に第１及び第２のローラーを配置して、透光部材の一部を第１及び第２のローラーの間で張ったところに特徴を有する。
【００１０】
請求項４の発明は、請求項１乃至３の何れかに記載の遊技機において、ベース部材に直動可能に支持されたプランジャーと、プランジャーを一方向に付勢するバネ部材と、バネ部材に抗してプランジャーを他方向に移動させるソレノイドと、往復可動部材に一体に設けられると共にプランジャーに連結され、プランジャーの直動を往復可動部材の回動に変換する連結レバーとを備えたところに特徴を有する。
【００１１】
請求項５の発明は、請求項１乃至４の何れかに記載の遊技機において、駆動源は、ブレーキを一体に備えたモータであり、モータのステータは、ベース部材に固定され、回転駆動ギヤは、モータの出力軸に固定されたところに特徴を有する。
【００１２】
請求項６の発明は、請求項１乃至５の何れかに記載の遊技機において、透光部材の背面側に表示装置を設け、透光部材は、その表示装置の表示画面を透視可能に構成されたところに特徴を有する。
【００１３】
請求項７の発明は、請求項６に記載の遊技機において、透光部材には、表示画面内に収まる大きさの半透明又は不透明な文字又は図柄が描かれたところに特徴を有する。
【００１４】
請求項８の発明は、請求項６又は７に記載の遊技機において、ベース部材は、表示装置が嵌合装着された表示装置嵌合枠部と、その表示装置の表示画面の少なくとも一部をベース部材の前面側から視認可能とするベース部材前面開口とを備え、ベース部材が背面側から取り付けられる遊技板を設け、その遊技板に、表示画面の少なくとも一部を遊技板の前面側から視認可能とする画面表示開口を形成したところに特徴を有する。
【００１５】
請求項９の発明は、請求項１乃至８の何れかに記載の遊技機において、第１と第２のローラーの間に配置されて、それら第１及び第２のローラーと平行に延び、ベース部材に固定され透光部材に摺接可能な摺接シャフトを設けたところに特徴を有する。
【００１６】
請求項１０の発明は、請求項１乃至９の何れかに記載の遊技機において、ベース部材に固定されて、第２のローラーの回動中心に沿って延びた固定軸部材を備え、復元弾性部材は、固定軸部材の長手方向に沿って延びかつ一端部が固定軸部材に固定されかつ他端部が第２のローラーに固定されたところに特徴を有する。
【００１７】
請求項１１の発明は、請求項１０に記載の遊技機において、復元弾性部材は、固定軸部材の長手方向に沿って延びかつ内側に固定軸部材が挿通されたコイルバネであり、そのコイルバネの一端部が固定軸部材に固定されかつ他端部が第２のローラーに固定されたところに特徴を有する。
【００１８】
請求項１２の発明は、請求項１１に記載の遊技機において、固定軸部材のうちコイルバネに挿通された部分は、第２のローラーの内側に収容されると共に、固定軸部材のうちコイルバネに挿通されていない端部が、第２のローラーの端部から露出してベース部材に固定され、固定軸部材の途中部分に第２のローラーの端部壁を貫通して回転可能に軸支したところに特徴を有する。
【発明の効果】
【００１９】
［請求項１，２及び３の発明］
請求項１の構成では、中継ギヤが中継位置に配置されると、回転駆動ギヤとローラー一体ギヤとの間が中継ギヤによって連結され、駆動源からの駆動力又は制動力が回転駆動ギヤ、中継ギヤ及びローラー一体ギヤを通して第１のローラーに伝達される。これにより、透光部材を第１のローラー側に送ること或いは任意の位置に保持することができる。一方、中継ギヤが断絶位置に配置されると回転駆動ギヤとローラー一体ギヤとの間が断絶されて、駆動源が第１のローラーから切り離される。これにより、駆動源の妨げを受けずに、復元弾性部材の弾性力により透光部材を第２のローラー側に急峻に引き戻すことができる。このように、本発明によれば、駆動源からの駆動力及び制動力を伝達する中継ギヤを移動することで、駆動源を第１のローラーから切り離すので、従来のように駆動源全体（例えば、モータ全体）を移動する構成のものに比べて移動対象を軽量化及び小型化することが可能になる。即ち、本発明によれば、透光部材の引き戻し動作を急峻に行うことができると共に、透光部材の移動に関連した駆動源周りを従来より小型化することが可能になる。また、中継ギヤを回転可能に軸支した往復可動部材が、回転駆動ギヤと共通した回転軸を中心に回動するので、中継ギヤは中継位置と断絶位置とに拘わらず、常に回転駆動ギヤと噛合した状態に維持される。これにより、中継ギヤと回転駆動ギヤとの間の連結状態が安定する。
【００２０】
なお、透光部材の両端部を第１と第２のローラーに巻き付けた構成にしてもよいし（請求項２の発明）、透光部材を環状にして、環状の透光部材の内側に第１及び第２のローラーを配置し、透光部材の一部を第１及び第２のローラーの間で張った構成にしてもよい（請求項３の発明）。
【００２１】
［請求項４の発明］
請求項４の構成によれば、ソレノイドの励磁とバネ部材の弾発力により、往復可動部材を往復動することができる。
【００２２】
［請求項５の発明］
請求項５の構成によれば、モータのへの通電を停止してブレーキのみで透光部材を任意の位置に保持することができる。これにより、モータの発熱を抑えることが可能になる。
【００２３】
［請求項６及び７の発明］
請求項６の構成によれば、透光部材を通して表示装置の表示画面を視認することができる。ここで、請求項７の構成のように、透光部材に半透明又は不透明な文字又は図柄を描いておけば、これら文字又は図面を表示画面に重ねて視認することができる。
【００２４】
［請求項８の発明］
請求項８の構成によれば、ベース部材に、第１及び第２のローラーと透光部材と表示装置とを組み付けてユニットにすることができる。そして、このユニットを遊技板に取り付けて、遊技板の前面側から表示装置の表示画面を視認することができる。
【００２５】
［請求項９の発明］
請求項９の構成によれば、摺接シャフトにより、第１と第２のローラーの間における透光部材の弛みを防ぐことができる。
【００２６】
［請求項１０，１１及び１２の発明］
請求項１０の構成では、復元弾性部材は、第２のローラーの回動中心に沿って延びた固定軸部材に支持されているので、弾性変形の前後の形状が安定する。具体的には、請求項１１の構成のように、復元弾性部材としてコイルバネを固定軸部材に挿通して、そのコイルバネの一端部を固定軸部材に固定する一方、他端部を第２のローラーに固定すればよい。また、請求項１２の構成のように、固定軸部材のうちコイルバネを挿通した部分を第２のローラーの内側に収容することでコンパクト化が図られる。さらに、固定軸部材のうちコイルバネに挿通されていない端部が、第２のローラーを回転可能に軸支する機能も果たし、部品の兼用化が図られる。
【図面の簡単な説明】
【００２７】
【図１】本発明の一実施形態に係るパチンコ遊技機の分解斜視図
【図２】パチンコ遊技機の正面図
【図３】遊技板の背面図
【図４】表示装置ユニットの分解斜視図
【図５】表示装置を収容したディスプレイケースと表示制御ユニットとの側断面図
【図６】表示制御ユニットの斜視図
【図７】表示装置及びディスプレイケースを取り外した表示装置ユニットの斜視図
【図８】遊技板に取り付けられた表示装置ユニットの断面図
【図９】表示装置及びディスプレイケースを取り外した表示装置ユニットの正面図
【図１０】表示装置及びディスプレイケースを取り外した表示装置ユニットの分解斜視図
【図１１】トーションコイルバネを装着した固定シャフト及びスプリング駆動ローラの斜視図
【図１２】ギヤボックスの分解斜視図
【図１３】ギヤボックスの分解斜視図
【図１４】（Ａ）中継ギヤが中継位置にあるときのギヤボックス内部の状況図、（Ｂ）中継ギヤが断絶位置にあるときのギヤボックス内部の状況図
【図１５】膜部材の正面図
【図１６】（Ａ）待機中の画面表示開口の状況図、（Ｂ）遊技開始直後の画面表示開口の状況図、（Ｃ）リーチ状態における画面表示開口の状況図、（Ｄ）大当たり状態における画面表示開口の状況図
【図１７】パチンコ遊技機の電気的構成を示すブロック図
【図１８】他の実施形態（２）に係るパチンコ遊技機の断面図
【発明を実施するための形態】
【００２８】
以下、本発明の遊技機としてのパチンコ遊技機１０に係る一実施形態を、図１〜図１７に基づいて説明する。図１に示すようにパチンコ遊技機１０は、遊技枠体８０に遊技機本体８１を組み付けて構成されている。遊技枠体８０は、外枠８２と前面枠９０とからなり、遊技機本体８１は、遊技板１１に種々の部品を組み付けた遊技板アッシ１１Ａと機構板８４に種々の部品を組み付けた機構板アッシ８４Ａとからなる。そして、前面枠９０に形成されたガラス窓９０Ｗに対して後面側から遊技板１１と機構板８４とが順番に宛がわれ、図２に示すように遊技板１１に備えた遊技領域Ｒ１が、ガラス窓９０Ｗ越しにパチンコ遊技機１０の前方に臨んでいる。また、ガラス窓９０Ｗの下方には上皿２６と下皿２７とが設けられ、前面枠９０の前面右下角部には、発射操作ノブ２９が備えられている。
【００２９】
遊技領域Ｒ１は、遊技板１１の前面から突出した誘導レール１２に囲まれて略円形になっている。そして、発射操作ノブ２９を操作すると遊技球が誘導レール１２に沿って遊技領域Ｒ１の上部に打ち込まれ、遊技領域Ｒ１を流下する。遊技板１１には、図３に示すように装飾枠取付開口１１Ｗが貫通形成され、その装飾枠取付開口１１Ｗに遊技板１１の前面側から装飾枠３２が嵌め込まれて、遊技板１１の前面にネジ止めされている。この装飾枠３２の中央部には、図２に示すように、略矩形の画面表示開口３２Ｗが貫通形成されている。そして、この画面表示開口３２Ｗを通して、遊技板１１の後面に備えられた膜部材４９（本発明の「透光部材」に相当する）及び表示装置３０の液晶表示画面３０Ｇ（本発明の「表示画面」に相当する）を遊技板１１の前面側から視認することができる。
【００３０】
遊技領域Ｒ１のうち画面表示開口３２Ｗの下側には、第１及び第２の始動入賞口１４Ａ，１４Ｂ、大入賞口１５及びアウト口１６が、上から順に間隔を開けて並べて設けられ、それら大入賞口１５等の両側方には、誘導レール１２に沿って一般入賞口２０，２１及びサイドランプ２２，２２がそれぞれ設けられている。また、遊技領域Ｒ１のうち画面表示開口３２Ｗの左側には、始動ゲート１８と風車１９とが上下に並べて設けられている。さらに、風車１９の下方には、サイドランプ２２と一体に、普通図柄表示部１８Ｈが設けられている。これら各種入賞口１４Ａ，１４Ｂ，１５，２０，２１等の役物以外に、遊技領域Ｒ１には、遊技球と当接して流下方向を様々に変化させることが可能な障害釘が分散配置されている。
【００３１】
上記した役物の詳細は、以下のようである。一般入賞口２０，２１は、所謂、ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球がパチンコ遊技機１０の前面に備えた上皿２６に払い出される。
【００３２】
始動ゲート１８は、遊技球が潜って通過可能な門形構造をなし、通過した遊技球は始動ゲート１８に内蔵された普通図柄始動スイッチによって検出される。この検出信号に基づいて、普通図柄表示部１８Ｈにおいて図柄が変動表示される。具体的には、「０」〜「９」までの数字からなる数字図柄が所定期間に亘って変動表示された後、所定の数字図柄が停止表示される。
【００３３】
第１及び第２の始動入賞口１４Ａ，１４Ｂは、上下方向に並んで配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００３４】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１８Ｈで停止表示された数字図柄が奇数になると、遊技板１１の裏に設けたソレノイドが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００３５】
各始動入賞口１４Ａ，１４Ｂに遊技球が入賞すると、各始動入賞口１４Ａ，１４Ｂ内に設けた図示しない始動口センサが遊技球を検出し、その検出信号に基づいて、例えば、４個の遊技球が上皿２６に払い出されると共に、表示装置３０の液晶表示画面３０Ｇにおいて図柄が変動表示される。具体的には、液晶表示画面３０Ｇには、通常、３つの左、中、右の特別図柄３０Ａ，３０Ｂ，３０Ｃが横並びに表示されている。これら各特別図柄３０Ａ，３０Ｂ，３０Ｃは、例えば、「０」〜「１１」の数字を表記した複数種類のもので構成されており、通常は、各特別図柄３０Ａ，３０Ｂ，３０Ｃごと、所定の種類のものが停止表示されている。そして、始動入賞口１４Ａ，１４Ｂに遊技球が入賞したときに、これら３つの特別図柄３０Ａ，３０Ｂ，３０Ｃが、上下方向にスクロール表示され、所定時間後に、例えば、左、右、中の順で各特別図柄３０Ａ，３０Ｃ，３０Ｂが停止表示される。このとき、中特別図柄３０Ｂがスクロール表示されている状態で、先に停止表示された左・右の特別図柄３０Ａ，３０Ｃが、同じ図柄となった場合に「リーチ状態」が成立する。すると、次述する「大当たり状態」になる確率が高くなる。また、全ての特別図柄３０Ａ，３０Ｂ，３０Ｃが同じ図柄、即ち、ぞろ目になった場合に、遊技が「大当たり状態」になる。
【００３６】
なお、液晶表示画面３０Ｇにおいて特別図柄３０Ａ，３０Ｂ，３０Ｃが変動表示又は「大当たり状態」の最中に始動入賞口１４Ａ，１４Ｂに入賞した場合、その入賞球は最大で４個まで保留記憶され、特別図柄３０Ａ，３０Ｂ，３０Ｃが停止表示又は「大当たり状態」が終了すると、その保留記憶に基づいて再び、特別図柄３０Ａ，３０Ｂ，３０Ｃが変動表示される。
【００３７】
大入賞口１５は、横長矩形に形成されて、常には、可動扉１５Ｔにて閉塞されている。パチンコ遊技機１０が「大当たり状態」になると、遊技板１１の裏に設けたソレノイド１５Ｓ（図１７参照）が駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３８】
大入賞口１５の内部には、計数入賞口が設けられている。計数入賞口内には、カウントセンサが設けられており、遊技球の入賞を検出すると入賞球数をカウントし、入賞球が前記したように計１０個に達したか否かをチェックする。なお、大入賞口１５に遊技球が入賞すると、例えば、１５個の遊技球が上皿２６に払い出される。
【００３９】
図３に示すように、遊技板１１の後面側には、表示装置ユニット４０が組み付けられている。図４に示すように表示装置ユニット４０は、遊技板１１に固定されるベース部材４１に、前記した膜部材４９と表示装置３０を含む複数の部品を組み付けてなる。表示装置３０は、液晶ディスプレイであって全体が薄板状になっており、前面側に液晶表示画面３０Ｇを備え、その液晶表示画面３０Ｇのサイズは、例えば１５インチになっている。
【００４０】
図５に示すように表示装置３０は、前面開放のディスプレイケース７０に収容され、そのディスプレイケース７０の後面には、図３に示すように表示制御ユニット７１と音声・ランプ制御ユニット７２とが組み付けられている。その表示制御ユニット７１は、全体が図６に示されており、表示制御回路１０２（図１７参照）をケースに収容してなる。また、音声・ランプ制御ユニット７２は、全体が図３に示されており、音声制御回路１０４及びランプ制御回路１０３（図１７参照）をケースに収容してなる。そして、図５に示すように表示制御ユニット７１の前面から突出した複数のフック７１Ｆを、ディスプレイケース７０に貫通形成した係止孔７０Ｆに係止して表示制御ユニット７１がディスプレイケース７０に取り付けられている。また、図３に示すように音声・ランプ制御ユニット７２は、表示制御ユニット７１の後方から重ねられ、音声・ランプ制御ユニット７２の両側部に備えた脚部７２Ｋ，７２Ｋがディスプレイケース７０の後面に固定されている。
【００４１】
なお、図３に示すように表示装置ユニット４０の下方には、大入賞口ユニット７４が固定され、その後方にメイン制御ユニット７３が組み付けられている。また、メイン制御ユニット７３は、メイン制御回路１００及びサブ制御回路１０１（共に図１７参照）をケースに収容してなる。
【００４２】
図７に示すようにベース部材４１は、遊技板１１と平行になった後面壁４１Ａの縁部全体から側壁４１Ｂを遊技板１１に向けて突出した構造になっている。そして、側壁４１Ｂの先端を遊技板１１の後面に突き当て、側壁４１Ｂの一部に設けた止板部４１Ｃが遊技板１１にネジ止めされている。
【００４３】
後面壁４１Ａには、その上端部全体を段付き状に後方に突出させて後方突出部４１Ｄが形成されている。また、後面壁４１Ａのうち後方突出部４１Ｄより下方には、１５インチ画面と概ね同じ大きさの矩形窓表示開口４１Ｗ（本発明の「ベース部材前面開口」に相当する）が形成されている。さらに、後面壁４１Ａのうち矩形窓表示開口４１Ｗの縁部から下方と両側方とに若干離れた位置からは、突壁４１Ｔが後方に向けて突出している。この突壁４１Ｔは、矩形窓表示開口４１Ｗの左右両辺及び下辺と平行に延び、突壁４１Ｔと後方突出部４１Ｄに囲まれた部分が本発明に係る表示装置嵌合枠部４１Ｈになっている。そして、図８に示すように、表示装置３０がディスプレイケース７０に収容された状態で、表示装置嵌合枠部４１Ｈ内に嵌合固定されている。
【００４４】
ベース部材４１の内部領域には、スプリング駆動ローラー４２（本発明に係る「第２のローラー」に相当する）とモータ駆動ローラー５２（本発明に係る「第１のローラー」に相当する）とが左右の両端部に平行に並べて収容され、それらスプリング駆動ローラー４２とモータ駆動ローラー５２との間に膜部材４９が張られている。
【００４５】
スプリング駆動ローラー４２は、図９に示すように、前方から表示装置ユニット４０に向かって右側端部に配置され、このスプリング駆動ローラー４２を回転可能に軸支するために、表示装置ユニット４０の後面壁４１Ａには、矩形窓表示開口４１Ｗを上下方向で挟んだ位置に１対の回転支持ブラケット４３，４４が固定されている。これら回転支持ブラケット４３，４４は、共に板金をＬ字形に折り曲げてなり、後面壁４１Ａにネジ止めされて前方に張り出し、上下方向で対向している。また、図１０に示すように上側の回転支持ブラケット４３には円形支持孔４３Ａが貫通成形される一方、下側の回転支持ブラケット４４には矩形支持孔４４Ａが貫通成形され、これら円形支持孔４３Ａと矩形支持孔４４Ａが同軸上に配置されている。
【００４６】
図１１に示すようにスプリング駆動ローラー４２は、円筒状のローラー本体４２Ａの両端部に１対のローラー端部栓４５，４６を嵌合してなる。ローラー本体４２Ａの両端には、縦割スリット４２Ｂ，４２Ｂが形成され、各ローラー端部栓４５，４６に形成した突起４５Ｔ，４６Ｔが、これら縦割スリット４２Ｂ，４２Ｂに係止し、これによりローラー本体４２Ａと両ローラー端部栓４５，４６とが一体回転する。
【００４７】
そして、上側のローラー端部栓４５からはローラー本体４２Ａの同軸上にエンボス４５Ｂが突出形成され、このエンボス４５Ｂ（図９参照）が回転支持ブラケット４３の円形支持孔４３Ａに回転可能に嵌合されることで、スプリング駆動ローラー４２の上端部が回転支持ブラケット４３に回転可能に軸支されている。
【００４８】
下側のローラー端部栓４６（本発明の「端部壁」に相当する）の中心部には、ローラー本体４２Ａの内側に向かって延長軸部４６Ａが延びており、その延長軸部４６Ａを含むローラー端部栓４６全体の中心部に貫通孔４６Ｂが形成されている。そして、この貫通孔４６Ｂ内に固定シャフト４７（本発明に係る「固定軸部材」に相当する）が回転可能に挿通されている。固定シャフト４７は、全体が断面円形の丸棒状をなし、その丸棒の下端面４７Ａに断面矩形の矩形突部４７Ｂを備えている。そして、矩形突部４７Ｂが回転支持ブラケット４４の矩形支持孔４４Ａに回転不能に嵌合されると共に、下端面４７Ａが回転支持ブラケット４４に当接して位置決めされている。これにより、固定シャフト４７が回転支持ブラケット４４から上方に起立した状態になってスプリング駆動ローラー４２の下端部が固定シャフト４７により回転可能に軸支されている。
【００４９】
固定シャフト４７は、ローラー本体４２Ａ内の中心部に沿ってローラー本体４２Ａの中央部分まで延びている。固定シャフト４７には、上端部を縦割りにしてスプリング係止部４７Ｃが形成されている。そして、トーションコイルバネ４８（本発明に係る「復元弾性部材」及び「コイルバネ」に相当する）がこの固定シャフト４７の外側に挿通され、そのトーションコイルバネ４８の上端部がスプリング係止部４７Ｃに回転不能かつ直動不能に固定される一方、トーションコイルバネ４８の下端部が前記したローラー端部栓４６の延長軸部４６Ａに同じく回転不能かつ直動不能に固定されている。これにより、ローラー端部栓４６を含むスプリング駆動ローラー４２が回転支持ブラケット４４に回転不能に取り付けられた固定シャフト４７に対して回転すると、トーションコイルバネ４８が捻れるように弾性変形して、スプリング駆動ローラー４２を反対側に回転させる弾発力が蓄えられる。また、トーションコイルバネ４８を軸方向に弾性変形させて固定シャフト４７をスプリング駆動ローラー４２内に押し込むことができる。これにより、スプリング駆動ローラー４２に固定シャフト４７及びトーションコイルバネ４８を組み付けてアッシ化してから、固定シャフト４７をスプリング駆動ローラー４２内に押し込んで回転支持ブラケット４３と回転支持ブラケット４４との間に配置し、トーションコイルバネ４８の弾発力により固定シャフト４７をスプリング駆動ローラー４２から下方に押し出すことで、上側と下側の回転支持ブラケット４３，４４の間にスプリング駆動ローラー４２を装着することができる。
【００５０】
モータ駆動ローラー５２は、図９に示すように、前方から表示装置ユニット４０に向かって左側端部に配置されている。図１０に示すようにモータ駆動ローラー５２のローラー本体５２Ａには、長手方向に全体に縦割スリット５２Ｂが形成され、各ローラー端部栓５３，５４に形成した突起５３Ｔ，５４Ｔ（図１２参照）が、この縦割スリット５２Ｂに係止し、これによりローラー本体５２Ａと両ローラー端部栓５３，５４とが一体回転する。
【００５１】
また、このモータ駆動ローラー５２を回転可能に軸支するために、ベース部材４１の後面壁４１Ａには、矩形窓表示開口４１Ｗを上下方向で挟んだ位置にギヤボックス５６と回転支持ブラケット５５とが固定されている。回転支持ブラケット５５は、前記したスプリング駆動ローラー４２用の回転支持ブラケット４３と同様に板金をＬ字形に折り曲げてなり、円形支持孔５５Ａを備えている。そして、回転支持ブラケット５５は、ベース部材４１の下端側に配置され、下側のローラー端部栓５３から下方に突出したエンボス５３Ｂが回転支持ブラケット５５の円形支持孔５５Ａに回転可能に嵌合されることで、モータ駆動ローラー５２の下端部が回転支持ブラケット５５に回転可能に軸支されている。
【００５２】
図１２に示すように、ギヤボックス５６は、ボックス蓋体５７とボックス本体５８とからなる。ボックス蓋体５７は、回転支持ブラケット５５と平行になって左右方向に延びた帯板の一端寄り位置をクランク状に屈曲させた構造となっている。そして、ボックス蓋体５７のうち屈曲部より一端側が、ソレノイド取付部５７Ｂとなり上方側に突出している。また、ボックス蓋体５７のうち屈曲部より他端側は、ギヤ支持壁５７Ａになっている。ボックス本体５８は、ボックス蓋体５７のギヤ支持壁５７Ａと同じ幅でかつそのギヤ支持壁５７Ａより短い帯板状のギヤ支持壁５８Ａを備え、ギヤ支持壁５８Ａの外縁部から突出した外縁突壁５８Ｂをボックス蓋体５７のギヤ支持壁５７Ａに突き当てた状態にしてネジ止めされている。また、ギヤ支持壁５８Ａの外面からは、上方に向けて複数の突起５８Ｔが突出しており、モータ５９（本発明の「駆動源」に相当する）がこれら突起５８Ｔに突き当てられ、ボックス本体５８から浮かせた状態にしてギヤボックス５６にネジ止め固定されている。これにより、モータ５９のステータがギヤボックス５６に移動不能に固定される。
【００５３】
ギヤボックス５６のうちソレノイド取付部５７Ｂと反対側の端部に、本発明に係るローラー一体ギヤ６０が回転可能に支持されている。ローラー一体ギヤ６０は、一端有底の円筒体６０Ａの外周面に複数の歯を備えた構造をなしている。そして、円筒体６０Ａの開放端がギヤ支持壁５７Ａに貫通形成された回転支持孔５６Ａに挿通される一方、円筒体６０Ａの閉塞端から外側に突出したエンボス６０Ｂがギヤ支持壁５８Ａに貫通形成された回転支持孔５６Ｂに挿入されている。また、円筒体６０Ａの開放端には、１対の係止溝６０Ｃが形成されている。そして、上側のローラー端部栓５４の上端部が円筒体６０Ａ内に嵌合されると共にローラー端部栓５４の上端部に形成された１対の係止突起５４Ａが１対の係止溝６０Ｃに係止し、モータ駆動ローラー５２とローラー一体ギヤ６０とが一体回転可能に組み付けられている。
【００５４】
ギヤボックス５６の内部には、ローラー一体ギヤ６０と横並びにしかつローラー一体ギヤ６０から離して回転駆動ギヤ６１が回転可能に軸支されている。回転駆動ギヤ６１の中心部からは、両ギヤ支持壁５７Ａ，５８Ａに向けて回転軸部６１Ａが突出している。そして、この回転軸部６１Ａが、両ギヤ支持壁５７Ａ，５８Ａに貫通形成されたギヤ支持孔５６Ｃ，５６Ｄに挿入されている。また、回転軸部６１Ａの軸芯部には、断面非円形の連結孔６１Ｂが形成されており、そこにモータ５９の駆動シャフト５９Ｓ（本発明の「出力軸」に相当する）が挿入されている。モータ５９は、ブレーキ一体型のステッピングモータであって、通電停止時にブレーキが作動して駆動シャフト５９Ｓが回転不能に保持され、通電時にブレーキによる保持が解除されて駆動シャフト５９Ｓが回転可能になり、このモータ５９の駆動力にて回転駆動ギヤ６１が回転駆動される。
【００５５】
回転駆動ギヤ６１とギヤ支持壁５８Ａとの間には、本発明に係る往復可動部材６３が挟まれている。往復可動部材６３は、円板部６３Ａからギヤ支持片６３Ｂと連結レバー６３Ｃとを張り出して備え、全体が「ヘ」の字状になっている。円板部６３Ａの中心には貫通孔６３Ｄが形成され、ここに回転駆動ギヤ６１の回転軸部６１Ａが挿通されている。そして、往復可動部材６３全体が図１４（Ａ）に示した中継位置と図１４（Ｂ）に示した断絶位置との間を回動する。また、ギヤ支持片６３Ｂの先端には中継ギヤ６２が回転可能に軸支されて、中継ギヤ６２と回転駆動ギヤ６１とが往復可動部材６３の回動位置に拘わらず噛合した状態に保持されている。
【００５６】
そして、往復可動部材６３が中継位置に至ると図１４（Ａ）に示すように中継ギヤ６２がローラー一体ギヤ６０にも噛合してローラー一体ギヤ６０と回転駆動ギヤ６１との間を連結し、モータ５９からの駆動力又は制動力が回転駆動ギヤ６１、中継ギヤ６２及びローラー一体ギヤ６０を通してモータ駆動ローラー５２に伝達される。一方、中継ギヤ６２が断絶位置に至ると、図１４（Ｂ）に示すように回転駆動ギヤ６１とローラー一体ギヤ６０との間が断絶されて、モータ５９がモータ駆動ローラー５２から切り離される。
【００５７】
図１３に示すように往復可動部材６３を回動させる回動力をソレノイド６４から得るために、連結レバー６３Ｃは円板部６３Ａからソレノイド取付部５７Ｂ側に突出している。ソレノイド６４は、ソレノイド取付部５７Ｂに固定され、そのソレノイド６４の内側にはプランジャー６５が直動可能に収容されている。プランジャー６５の先端には直動連結部材６６が固定され、ソレノイド６４の端面と直動連結部材６６との間には圧縮コイルバネ６７（本発明に係る「バネ部材」に相当する）が備えられている。また、直動連結部材６６には連結レバー６３Ｃ側に突出したアーム部６６Ａが形成され、このアーム部６６Ａに設けた係合凹部６６Ｂ（図１２参照）内に、連結レバー６３Ｃの先端から突出した係止突起６３Ｅ（図１２参照）が係合している。これにより、ソレノイド６４に通電すると直動連結部材６６をソレノイド６４側に引き寄せると往復可動部材６３が断絶位置に至り、ソレノイド６４への通電を停止すると圧縮コイルバネ６７の弾発力により直動連結部材６６がソレノイド６４から離間する側に移動して往復可動部材６３が中継位置に至る。
【００５８】
図１３に示すように回転支持ブラケット５５とギヤボックス５６との間には、モータ駆動ローラー５２と共に膜摺接シャフト６８が差し渡されている。膜摺接シャフト６８は金属製の丸棒であって、両端部を回転支持ブラケット５５及びギヤボックス５６に回転可能に軸支されている。そして、膜摺接シャフト６８は、図８に示すように、次述する膜部材４９に摺接可能な位置に配置され、モータ駆動ローラー５２とスプリング駆動ローラー４２の間における膜部材４９の弛みを防いでいる。
【００５９】
膜部材４９は、透光部材、例えば、透明な樹脂シートで構成され、１５インチ画面の上下寸法と概ね同一の上下幅をなして帯状に延びている。そして、膜部材４９の両端部がスプリング駆動ローラー４２及びモータ駆動ローラー５２に固定されている。具体的には、膜部材４９の一端部は、スプリング駆動ローラー４２の外周面に接着剤にて固定されている。これに対し、膜部材４９の一端部は、モータ駆動ローラー５２の縦割スリット５２Ｂ内に挿入され、モータ駆動ローラー５２の軸芯部に備えた軸芯シャフト５２Ｓ（図１２参照）にネジによって固定されている。なお、軸芯シャフト５２Ｓは、両端部をローラー端部栓５３，５４によって軸支されると共に、ローラー端部栓５４に備えた非円形孔５４Ｃ（図１２参照）との連結によってモータ駆動ローラー５２と一体回転可能に固定されている。そして、図８に示すように膜部材４９の両端部がスプリング駆動ローラー４２とモータ駆動ローラー５２とに巻回され、それらスプリング駆動ローラー４２及びモータ駆動ローラー５２における両外周面同士の共通接線うち、表示装置３０と反対側に位置した共通接線に沿って膜部材４９が延びた状態に張られている。これにより、膜部材４９が液晶表示画面３０Ｇと略平行になって液晶表示画面３０Ｇを前面側から覆っている。また、スプリング駆動ローラー４２とモータ駆動ローラー５２とは膜部材４９によって連動回転可能に連結され、モータ５９によりモータ駆動ローラー５２を回転駆動することで、膜部材４９をモータ駆動ローラー５２に巻き取ると、これに伴ってスプリング駆動ローラー４２が回転して、その結果、トーションコイルバネ４８が弾性変形する。そして、ソレノイド６４による往復可動部材６３の作動によりローラー一体ギヤ６０と回転駆動ギヤ６１との間が断絶されてモータ５９からモータ駆動ローラー５２が切り離されると、トーションコイルバネ４８の弾発力によりスプリング駆動ローラー４２が逆回転して膜部材４９が巻き戻され（引き戻され）、これに伴ってモータ駆動ローラー５２が回転する。
【００６０】
なお、トーションコイルバネ４８は、膜部材４９をスプリング駆動ローラー４２側に巻き取った状態でも弾発力が残るように取り付けられ、これにより膜部材４９の弛みを防いでいる。
【００６１】
図１５に示すように、膜部材４９は、モータ駆動ローラー５２側から順番に第１〜第４の領域４９Ａ〜４９Ｄを連ねて備えている。これら第１〜第４の各領域４９Ａ〜４９Ｄは、スプリング駆動ローラー４２とモータ駆動ローラー５２との間隔と概ね同じ長さをなしている。第１の領域４９Ａには、その全体に「大当たり」という文字が透光性の着色顔料で記載されており、第３の領域４９Ｃには、その全体に「リーチ」という文字が同じく透光性の着色顔料で記載されている。また、第２及び第４の領域４９Ｂ，４９Ｄには、共に文字・図形の記載はない。
【００６２】
次に、図１７を参照しつつ本実施形態のパチンコ遊技機１０の電気的な構成について説明する。同図において、符号１００は、メイン制御回路であって、パチンコ遊技機１０全体を統括的に制御している。そして、そのメイン制御回路１００を補助するために、サブ制御回路１０１が備えられている。メイン制御回路１００には、サブ制御回路１０１の他、払出制御回路１０６が接続されると共に、中継回路１０７を介して各種センサ１０８群及び可動扉１５Ｔの扉駆動ソレノイド１５Ｓ等が接続されている。そして、払出制御回路１０６により貸球払出装置１１０、発射装置１１１及び賞球払出装置１１２が制御されて、遊技球の貸し出し、発射、払い出しが行われる。また、各種センサ１０８群が各入賞口への遊技球の入賞を検出して、それら検出情報に応じてメイン制御回路１００が遊技の進行状況を変更し、必要に応じて扉駆動ソレノイド１５Ｓにより可動扉１５Ｔを開閉する。
【００６３】
サブ制御回路１０１には、表示制御回路１０２、ランプ制御回路１０３、音声制御回路１０４及び膜部材制御回路１０５が接続されている。そして、サブ制御回路１０１はメイン制御回路１００から付与された指令に基づいて、詳細な指令を決定して、表示制御回路１０２、ランプ制御回路１０３、音声制御回路１０４及び膜部材制御回路１０５に付与する。これを受けて、表示制御回路１０２が表示装置３０を制御し、音声制御回路１０４がスピーカ１３Ａ（図１参照）から音声を出力し、ランプ制御回路１０４がサイドランプ２２等を点灯・消灯する。また、膜部材制御回路１０５は、表示装置ユニット４０のモータ５９及びソレノイド６４を駆動制御して、膜部材４９をモータ駆動ローラー５２側に巻き取ったり、スプリング駆動ローラー４２側に巻き戻したりする。
【００６４】
本実施形態に係るパチンコ遊技機１０の構成は以上である。以下、その作用効果について説明する。パチンコ遊技機１０が待機状態にあるときには、表示装置ユニット４０において、ソレノイド６４は励磁されておらず、圧縮コイルバネ６７の弾発力により中継ギヤ６２が連結状態に保持されている。そして、膜部材４９における第１の領域４９Ａが液晶表示画面３０Ｇの前方を覆った状態に保持され、例えば、図１６（Ａ）に示すように、液晶表示画面３０Ｇに表示されるキャラクタ画像３０Ｄと膜部材４９に記された「大当たり」の文字とが前後に重ねて表示される。このとき、トーションコイルバネ４８の弾発力により膜部材４９がスプリング駆動ローラー４２に巻き戻される側に付勢されるが、本実施形態のモータ５９は、ブレーキを一体に備えているので、モータ５９への通電を停止してブレーキのみで膜部材４９を任意の位置に保持することができる。これにより、モータの発熱を抑えることが可能になる。
【００６５】
発射操作ノブ２９を操作して遊技が開始されると、遊技球が遊技領域Ｒ１に打ち込まれ、それら遊技球が遊技領域Ｒ１を流下して遊技が進行していく。そして、遊技の開始と同時に、モータ５９が作動して膜部材４９の一部がモータ駆動ローラー５２に巻き取られて膜部材４９における第２の領域４９Ｂが液晶表示画面３０Ｇの前方に移動し、液晶表示画面３０Ｇを覆った状態に保持される。そして、遊技者は、膜部材４９のうち「文字」及び「図柄」の記載がない透明な第２の領域４９Ｂを通して液晶表示画面３０Ｇを視認することになる（図１６（Ｂ）参照）。
【００６６】
遊技を進行していくと、遊技領域Ｒ１に打ち込まれた遊技球のうちの幾つかが始動入賞口１４Ａ，１４Ｂに入賞し、遊技の当否判定が行われる。この当否判定の結果は液晶表示画面３０Ｇに表示された左、中、右の特別図柄３０Ａ，３０Ｂ，３０Ｃの組み合わせ結果として表示される。そして、その組み合わせ結果が表示される前に、特別図柄３０Ａ，３０Ｂ，３０Ｃが上下方向にスクロール表示される。このとき、左特別図柄３０Ａ、右特別図柄３０Ｃ、中特別図柄３０Ｂの順にスクロール表示が停止し、ここで、中特別図柄３０Ｂがスクロール表示されている状態で、先に停止表示された左・右の特別図柄３０Ａ，３０Ｃが、同じ図柄となった場合に「リーチ状態」が成立する。
【００６７】
すると、モータ５９が膜部材４９をモータ駆動ローラー５２側に所定の速度で巻き取る。これにより、膜部材４９のうち第３の領域４９Ｃが液晶表示画面３０Ｇの前方に移動し、第３の領域４９Ｃに記載された「リーチ」を構成する文字が「リ」、「ー」、「チ」の順番に液晶表示画面３０Ｇの前方に登場する。これにより、遊技者は、図１６（Ｃ）に示すように液晶表示画面３０Ｇと膜部材４９に記載の「リーチ」という文字とを重ねた状態を見ることができる。また、液晶表示画面３０Ｇと膜部材４９とは互いに離れているので、液晶表示画面３０Ｇを見る角度に依って「リーチ」という文字と液晶表示画面３０Ｇとの重なり具合が変わって立体感・奥行き感を奏する。
【００６８】
そして、「リーチ状態」の後に確定表示された中特別図柄３０Ｂが、左・右の特別図柄３０Ａ，３０Ｂと異なり外れが確定すると、膜部材４９の一部がモータ駆動ローラー５２に巻き取られて膜部材４９における第４の領域４９Ｄが液晶表示画面３０Ｇの前方に移動し、液晶表示画面３０Ｇを覆った状態に保持される。これにより、膜部材４９のうち「文字」及び「図柄」の記載がない透明な第４の領域４９Ｄを通して液晶表示画面３０Ｇを視認することになる。
【００６９】
一方、「リーチ状態」の後に確定表示された左、中、右の特別図柄３０Ａ，３０Ｂ，３０Ｃが全て同じ数字の「ぞろ目」になり、「大当たり遊技」が確定すると、ソレノイド６４が作動し、図１４（Ｂ）に示すように中継ギヤ６２をローラー一体ギヤ６０から離間させる。これにより、モータ５９がモータ駆動ローラー５２から切り離され、モータ５９の妨げを受けずに、膜部材４９がトーションコイルバネ４８の弾性力によりスプリング駆動ローラー４２側に急峻に巻き戻され（引き戻され）、膜部材４９のうち液晶表示画面３０Ｇの前側を覆った部分が「リーチ」と記載された第３の領域４９Ｃから、「大当たり」と記載された第１の領域４９Ａに急峻に入れ替わる。そして、遊技者は、図１６（Ｄ）に示すように、液晶表示画面３０Ｇと膜部材４９に記載の「大当たり」という文字とを３次元的に重ねた状態を見ることで、単に液晶表示画面３０Ｇだけで「大当たり状態」になる場合に比べて強い達成感・満足感を得ることができる。
【００７０】
このように、本実施形態のパチンコ遊技機１０によれば、モータ５９からの駆動力及び制動力を伝達する中継ギヤ６２を移動することで、モータ５９をモータ駆動ローラー５２から切り離すので、従来のようにモータ全体を移動する構成のものに比べて移動対象を軽量化及び小型化することが可能になる。即ち、本実施形態によれば、膜部材４９の引き戻し動作を急峻に行うことができると共に、膜部材４９の移動に関連したモータ５９周りを従来より小型化することが可能になる。また、本実施形態では、膜部材４９をスプリング駆動ローラー４２に巻き戻すためのトーションコイルバネ４８が、スプリング駆動ローラー４２の回動中心に沿って延びた固定シャフト４７に支持されているので、弾性変形の前後の形状が安定する。しかも、固定シャフト４７のうちトーションコイルバネ４８を挿通した部分をスプリング駆動ローラー４２の内側に収容することでコンパクト化が図られる。さらに、固定シャフト４７のうちトーションコイルバネ４８に挿通されていない端部が、スプリング駆動ローラー４２を回転可能に軸支する機能も果たし、部品の兼用化も図ることができる。
【００７１】
なお、本実施形態の構成の特徴を纏めると以下のようである。即ち、第１の特徴は、互いに平行に延びかつ回転可能な第１と第２のローラーと、第１及び第２のローラーを回転可能に軸支したベース部材と、第１と第２のローラーの間に張られ、それら第１及び第２のローラーを連動回転させて移動する帯状の膜部材と、第１のローラーを回転駆動及び回転停止して膜部材を第１のローラー側に移動しかつ任意の位置に保持可能な駆動源と、第２のローラーとベース部材との間に設けられ、第２のローラーの回転に伴って弾性変形し、その弾発力により膜部材を第２のローラー側に引き戻すことが可能な復元弾性部材とを備えた遊技機において、駆動源によって回転駆動及び回転停止される回転駆動ギヤと、第１のローラーと一体回転するローラー一体ギヤと、ベース部材に対して往復動可能に連結された往復可動部材と、往復可動部材に回転可能に軸支されて、回転駆動ギヤとローラー一体ギヤとの間を連結した中継位置と、回転駆動ギヤ又はローラー一体ギヤとの間を断絶した断絶位置との間を移動可能な中継ギヤとを備えたところにある。
【００７２】
第２の特徴は、第１の特徴を備えた遊技機において、膜部材の両端部を第１と第２のローラーに巻き付けたところにある。
【００７３】
第３の特徴は、第１の特徴を備えた遊技機において、膜部材は、環状をなし、環状の膜部材の内側に第１及び第２のローラーを配置して、膜部材の一部を第１及び第２のローラーの間で張ったところにある。
【００７４】
第４の特徴は、第１乃至第３の何れかの特徴を備えた遊技機において、回転駆動ギヤとローラー一体ギヤとは、ベース部材に回転可能に軸支されると共に、互いに横並びに間隔を開けて配置された状態に保持され、往復可動部材は、回転駆動ギヤと共通した回転軸を中心に回動可能に軸支され、中継ギヤは、中継位置で回転駆動ギヤとローラー一体ギヤとに噛合する一方、断絶位置で回転駆動ギヤとの噛合を維持してローラー一体ギヤから離間するところにある。
【００７５】
第５の特徴は、第４の特徴を備えた遊技機において、ベース部材に直動可能に支持されたプランジャーと、プランジャーを一方向に付勢するバネ部材と、バネ部材に抗してプランジャーを他方向に移動させるソレノイドと、往復可動部材に一体に設けられると共にプランジャーに連結され、プランジャーの直動を往復可動部材の回動に変換する連結レバーとを備えたところにある。
【００７６】
第６の特徴は、第１乃至第５の何れかの特徴を備えた遊技機において、駆動源は、ブレーキを一体に備えたモータであり、モータのステータは、ベース部材に固定され、回転駆動ギヤは、モータの出力軸に固定されたところにある。
【００７７】
第７の特徴は、第１乃至第６の何れかの特徴を備えた遊技機において、膜部材の背面側に表示装置を設け、膜部材は、その表示装置の表示画面を透視可能な透光部材で構成されたところにある。
【００７８】
第８の特徴は、第７の特徴を備えた遊技機において、膜部材には、表示画面内に収まる大きさの半透明又は不透明な文字又は図柄が描かれたところにある。
【００７９】
第９の特徴は、第７又は第８の特徴を備えた遊技機において、ベース部材は、表示装置が嵌合装着された表示装置嵌合枠部と、その表示装置の表示画面の少なくとも一部をベース部材の前面側から視認可能とするベース部材前面開口とを備え、ベース部材が背面側から取り付けられる遊技板を設け、その遊技板に、表示画面の少なくとも一部を遊技板の前面側から視認可能とする画面表示開口を形成したところにある。
【００８０】
第１０の特徴は、第１乃至第９の何れかの特徴を備えた遊技機において、第１と第２のローラーの間に配置されて、それら第１及び第２のローラーと平行に延び、ベース部材に固定され膜部材に摺接可能な膜摺接シャフトを設けたところにある。
【００８１】
第１１の特徴は、第１乃至第１０の何れかの特徴を備えた遊技機において、ベース部材に固定されて、第２のローラーの回動中心に沿って延びた固定軸部材を備え、復元弾性部材は、固定軸部材の長手方向に沿って延びかつ一端部が固定軸部材に固定されかつ他端部が第２のローラーに固定されたところにある。
【００８２】
第１２の特徴は、第１１の特徴を備えた遊技機において、復元弾性部材は、固定軸部材の長手方向に沿って延びかつ内側に固定軸部材が挿通されたコイルバネであり、そのコイルバネの一端部が固定軸部材に固定されかつ他端部が第２のローラーに固定されたところにある。
【００８３】
第１３の特徴は、第１２の特徴を備えた遊技機において、固定軸部材のうちコイルバネに挿通された部分は、第２のローラーの内側に収容されると共に、固定軸部材のうちコイルバネに挿通されていない端部が、第２のローラーの端部から露出してベース部材に固定され、固定軸部材の途中部分に第２のローラーの端部壁を貫通して回転可能に軸支したところにある。
【００８４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８５】
（１）前記実施形態では、パチンコ遊技機１０に本発明を適用していたが、遊技機であれば、アレンジボール、スロットマシン等に備えてもよい。
【００８６】
（２）前記実施形態では、膜部材４９をモータ駆動ローラー５２とスプリング駆動ローラー４２とに巻き付けて、膜部材４９の一部をモータ駆動ローラー５２とスプリング駆動ローラー４２との間で張った構成としていたが、図１８に示すように膜部材４９を環状にして、膜部材４９の内側にモータ駆動ローラー５２とスプリング駆動ローラー４２とを配置し、膜部材４９の一部をモータ駆動ローラー５２とスプリング駆動ローラー４２との間で張った構成としてもよい。これにより、膜部材４９のうち装飾枠３２の画面表示開口３２Ｗを通して前方から視認される部分を常に張った状態に保つことができるので、膜部材４９に曲がりクセが付くのを防止することができる。なお、モータ駆動ローラー５２とスプリング駆動ローラー４２とを互いに離れる方向に付勢すると、より確実に膜部材４９を張った状態に保つことができる。また、膜部材４９とモータ駆動ローラー５２及びスプリング駆動ローラー４２との間の摩擦を利用して膜部材４９を送る機構に代えて、膜部材４９の両側部に等間隔に設けられた複数の貫通孔からなる１対の係止孔群に、モータ駆動ローラー５２及びスプリング駆動ローラー４２の両端部に等間隔に設けられた複数の係止突起からなる１対の係止突起群を係止させて膜部材４９を送る、所謂トラクタフィーダーとしてもよい。これにより、膜部材４９を所定の量だけ正確に送ることができる。
【００８７】
（３）前記実施形態では、膜部材４９に透光性の着色顔料で文字を記載したが、膜部材４９に液晶表示画面３０Ｇに収まる大きさの半透明又は不透明な文字又は図柄を描いてもよい。
【符号の説明】
【００８８】
１０    パチンコ遊技機（遊技機）
１１    遊技板
３０    表示装置
３０Ｇ    液晶表示画面（表示画面）
３２Ｗ    画面表示開口
４２    スプリング駆動ローラー（第２のローラー）
５２    モータ駆動ローラー（第１のローラー）
４１    ベース部材
４１Ｈ    表示装置嵌合枠部
４１Ｗ    矩形窓表示開口（ベース部材前面開口）
４６    ローラー端部栓（端部壁）
４７    固定シャフト（固定軸部材）
４８    トーションコイルバネ（復元弾性部材、コイルバネ）
４９    膜部材（透光部材）
５９    モータ（駆動源）
５９Ｓ    駆動シャフト（出力軸）
６０    ローラー一体ギヤ
６１    回転駆動ギヤ
６２    中継ギヤ
６３    往復可動部材
６３Ｃ    連結レバー
６４    ソレノイド
６５    プランジャー
６７    圧縮コイルバネ（バネ部材）
６８    膜摺接シャフト（摺接シャフト）
【図１】
2010148924.tif 000003
【図２】
2010148924.tif 000004
【図３】
2010148924.tif 000005
【図４】
2010148924.tif 000006
【図５】
2010148924.tif 000007
【図６】
2010148924.tif 000008
【図７】
2010148924.tif 000009
【図８】
2010148924.tif 000010
【図９】
2010148924.tif 000011
【図１０】
2010148924.tif 000012
【図１１】
2010148924.tif 000013
【図１２】
2010148924.tif 000014
【図１３】
2010148924.tif 000015
【図１４】
2010148924.tif 000016
【図１５】
2010148924.tif 000017
【図１６】
2010148924.tif 000018
【図１７】
2010148924.tif 000019
【図１８】
2010148924.tif 000020